【手続補正書】
【提出日】平成17年4月19日(2005.4.19)
【手続補正１】
【補正対象書類名】明細書
【補正対象項目名】特許請求の範囲
【補正方法】変更
【補正の内容】
【特許請求の範囲】
【請求項１】
利用者が身体を動かして運動した運動量を計測する複数の計測手段と、
前記計測手段による計測結果に基づいて所定のポイントを演算する演算手段と、
前記演算手段により演算したポイントを蓄積して管理する管理手段と、
前記管理手段により蓄積したポイントに基づいて所定のサービスを提供するサービス提供手段と
を有することを特徴とするポイントシステム。
【請求項２】
請求項１記載のポイントシステムにおいて、
前記演算手段は、前記利用者の身体能力に基づいて最適運動量を定め、前記計測手段による前記運動量の計測結果が前記最適運動量のときに前記所定のポイントを最大値とし、
前記運動量の計測結果が前記最適運動量よりも少なくても多くても前記所定のポイントを前記最大値より少なくする
ことを特徴とするポイントシステム。
【請求項３】
請求項１又は２記載のポイントシステムにおいて、
前記サービス提供手段は、前記ポイントの代わりに、又は、前記ポイントと併せて、前記計測結果に基づいて消費カロリーを演算し、前記消費カロリー及び／又は前記ポイントに基づいて所定のサービスを提供する
ことを特徴とするポイントシステム。
【請求項４】
利用者が身体を動かして運動した運動量を測定する複数の測定手段と、
少なくとも前記利用者に関する情報に基づいて、前記複数の測定手段ごとに前記利用者に応じた目標運動量を設定する設定手段と、
前記複数の測定手段により測定された各々の測定運動量と、前記複数の測定手段ごとに設定された各々の目標運動量との差が大きくなるにつれて低くなるように、前記測定運動量をポイントに変換し、前記測定運動量と前記目標運動量との差が小さくなるにつれて高くなるように、前記測定運動量をポイントに変換する演算を行う演算手段と、
前記演算手段により算出された各々のポイントを累積する累積手段と、
利用者が選択できる複数のサービスごとに設定されたポイントを記憶する記憶手段と、
前記累積されたポイントを選択したサービスに換える要求があったとき、前記設定されたポイントに基づいて前記利用者が選択したサービスに応じたポイントを決定し、前記決定されたポイントを前記累積されたポイントから減算するポイントサービス変換手段と
を備えたことを特徴とするポイントシステム。
【請求項５】
利用者が身体を動かして運動した運動量を測定する複数の測定手段と、
前記複数の測定手段により測定された前記運動量をカロリー値に変換する手段と、
少なくとも前記利用者に関する情報に基づいて、前記複数の測定手段ごとに前記利用者の目標運動量に応じたカロリー値を設定する設定手段と、
前記複数の測定手段から測定された各々の運動量に応じたカロリー値と前記複数の測定手段ごとに設定された各々の目標運動量に応じたカロリー値との差が大きくなるにつれて低くなるように、前記カロリー値をポイントに変換し、前記運動量に応じたカロリー値と前記目標運動量に応じたカロリー値との差が小さくなるにつれて高くなるように、前記カロリー値をポイントに変換する演算を行う演算手段と、
前記演算手段により算出された各々のポイントを累積する累積手段と、
前記利用者が選択できる複数のサービスごとに設定されたポイントを記憶する記憶手段と、
前記累積されたポイントを選択したサービスに換える要求があったときに、前記サービスごとに設定されたポイントに基づいて前記利用者が選択したサービスに応じたポイントを決定し、前記決定されたポイントを前記累積されたポイントから減算するポイントサービス変換手段と
を備えたことを特徴とするポイントシステム。
【請求項６】
利用者が身体を動かして運動した運動量を測定する測定手段と前記運動量をサーバーへ送信する送信手段とを備えた複数の端末装置と、
利用者に関する情報と、利用者が選択できる複数のサービスごとに設定されたポイントを記憶する記憶手段と、
前記端末装置から送られた前記運動量のデータを受信する手段と、
受信した前記運動量をカロリー値に変換する手段と、
少なくとも前記利用者に関する情報に基づいて、前記複数の測定手段ごとに前記利用者の目標運動量に応じたカロリー値を設定する設定手段と、
前記複数の測定手段から測定された各々の運動量に応じたカロリー値と前記複数の測定手段ごとに設定された各々の目標運動量に応じたカロリー値との差が大きくなるにつれて低くなるように、前記カロリー値をポイントに変換し、前記運動量に応じたカロリー値と前記目標運動量に応じたカロリー値との差が小さくなるにつれて高くなるように、前記カロリー値をポイントに変換する演算を行う演算手段と、
前記演算手段により算出された各々のポイントを累積する累積手段と、
前記累積されたポイントを利用者が選択したサービスに換える、前記端末装置からの要求があったときに、前記サービスごとに設定されたポイントに基づいて前記利用者が選択したサービスに応じたポイントを決定し、前記決定されたポイントを前記累積されたポイントから減算するポイントサービス変換手段と、
前記端末装置と通信回線を介してデータの送受信可能なサーバー装置と
を備えたことを特徴とするポイントシステム。
【請求項７】
利用者が身体を動かして運動した運動量を測定した端末装置から送信された運動量のデータを受信する受信手段と、
受信した前記運動量をカロリー値に変換する手段と、
利用者に関する情報と、利用者が選択できる複数のサービスごとに設定されたポイントを記憶する記憶手段と、
少なくとも前記利用者に関する情報に基づいて、前記複数の測定手段ごとに前記利用者の目標運動量に応じたカロリー値を設定する設定手段と、
前記複数の測定手段から測定された各々の運動量に応じたカロリー値と前記複数の測定手段ごとに設定された各々の目標運動量に応じたカロリー値との差が大きくなるにつれて低くなるように、前記カロリー値をポイントに変換し、前記運動量に応じたカロリー値と前記目標運動量に応じたカロリー値との差が小さくなるにつれて高くなるように、前記カロリー値をポイントに変換する演算を行う演算手段と、
前記演算手段により算出された各々のポイントを累積する累積手段と、
前記累積されたポイントを利用者が選択したサービスに換える、前記端末装置からの要求があったときに、前記サービスごとに設定されたポイントに基づいて前記利用者が選択したサービスに応じたポイントを決定し、前記決定されたポイントを前記累積されたポイントから減算するポイントサービス変換手段と
を備えたサーバー装置。
【請求項８】
利用者が身体を動かして運動した運動量を測定する測定手段と、前記測定手段により測定された前記運動量をサーバーへ送信する送信手段とを備えた端末装置であって、
送信された運動量のデータを受信する受信手段と、受信した前記運動量をカロリー値に変換する手段と、利用者に関する情報と、利用者が選択できる複数のサービスごとに設定されたポイントを記憶する記憶手段と、少なくとも前記利用者に関する情報に基づいて、
前記複数の測定手段ごとに前記利用者の目標運動量に応じたカロリー値を設定する設定手段と、前記複数の測定手段から測定された各々の運動量に応じたカロリー値と前記複数の測定手段ごとに設定された各々の目標運動量に応じたカロリー値との差が大きくなるにつれて低くなるように、前記カロリー値をポイントに変換し、前記運動量に応じたカロリー値と前記目標運動量に応じたカロリー値との差が小さくなるにつれて高くなるように、前記カロリー値をポイントに変換する演算を行う演算手段と、前記演算手段により算出された各々のポイントを累積する累積手段と、前記累積されたポイントを利用者が選択したサービスに換える、前記端末装置からの要求があったときに、前記サービスごとに設定されたポイントに基づいて前記利用者が選択したサービスに応じたポイントを決定し、前記決定されたポイントを前記累積されたポイントから減算するポイントサービス変換手段とを備えたサーバー装置とデータの送受信可能に構成されたことを特徴とする端末装置。